(57)【要約】      （修正有）【課題】ワンタッチ、ツータッチで紙袋をヒモで取り付けたりする作業ができて、木枝からの水や消毒液の進入を防ぎ、カラスなどの鳥害の防止ができて、木枝にきつく締め付けずに、やさしく締め付けて止めることができる果実を包む紙袋を提供する。【解決方法】紙袋１の入口の開口部１３の上辺を折りたたんで接着して、ヒモ２を通す空洞をつくり、その空洞にヒモ２を通して、一方の端の側に二本のヒモ２を出した紙袋１であり、ヒモ２を出した部分で折りたたんだ紙袋１の表面に割れ目を入れたヒモの止め具６を付けてあり、紙袋１の入口を締めながらヒモ２を引っ張り、止め具６の割れ目に入れることにより、ワンタッチ、ツータッチで簡単に止めることができて、ヒモ２は白くキラキラ光るために害鳥防止になり、紙袋１の中に入った水を出すために紙袋１の下辺の端１２を切ったことを特徴とする。【選択図】図１
0003203054.tif 000002
【実用新案登録請求の範囲】
【請求項１】
本考案は果実にかぶせる紙袋を木枝に取り付けるためにヒモとヒモを止めるための割れ目を入れた型紙やプラスチック製の止め具であり、紙袋の開口部の上辺を折りたたんで線状に接着して空洞をつくり、その空洞にヒモを通して、一方の側に二本のヒモを出しておき、その上辺の端の部分に１〜数個の割れ目を入れた止め具を付けておくことにより、ワンタッチ、ツータッチで細い木枝にも柔らかく取り付けることができて、ヒモはナイロン、エスロン、ポリエステルやポリエチレン樹脂製やその合成の材質であるために白くキラキラ光るために鳥の防止にもなり、紙袋の中に入った水を出すために下辺の端を切り取ったり、下辺を１０〜２０ミリの等間隔の点線状に接着しておいたりして、ヒモや止め具の一部を色分けしたり、色印を付けたりして果実の識別ができるようにしたことを特徴とする、ヒモ絞り式、果実を包む紙袋。
【請求項２】
本考案は果実にかぶせる紙袋を木枝に取り付けるためにヒモとヒモを止めるための割れ目を入れた型紙やプラスチック製の止め具であり、紙袋の開口部の上辺を折りたたんで１０〜２０ミリの等間隔に点線状に接着して空洞をつくり、その空洞にヒモを通して、一方の側に二本のヒモを出しておき、その上辺の端の部分に１〜数個の割れ目を入れた止め具を付けておくことにより、ワンタッチ、ツータッチで細い木枝にも柔らかく取り付けることができて、ヒモはナイロン、エスロン、ポリエステル、ポリエチレン樹脂製やその合成の材質であるために白くキラキラ光るために鳥の防止にもなり、紙袋の中に入った水を出すために下辺の端を切り取ったり、下辺を１０〜２０ミリの等間隔の点線状に接着しておいたりして、ヒモや止め具の一部を色分けしたり、色印を付けたりして果実の識別ができるようにしたことを特徴とする、ヒモ絞り式、果実を包む紙袋。
【考案の詳細な説明】
【技術分野】
【０００１】  ブドウ、桃、梨、リンゴなどの果実を雨水によるカビの発生やいろいろな害虫、害鳥から防ぎ、消毒液が果実に付着するのを防ぐために紙袋を木枝に取り付ける方法と器具に関するものである。
【背景技術】
【０００２】  ブドウ、桃、梨、リンゴなどの果実にかぶせる方法と器具は存在する。
【先行技術】
【０００３】  次のように存在する。
１、紙袋の入口の一方に縦に針金を接着させておき、紙袋の開口部より果実を入れてから、紙袋の開口部を木枝に挟んで、締め付けておいて、その針金で紙袋の入口を木枝に巻き付けて結び付ける方法。
２、紙袋の入口を木枝にテープでまきつける方法。
３、紙袋の入口を木枝にホッチキスで止める方法。ただし、紙の入口が十分に閉まらずに、紙の入口より水が入る場合がある。
【考案の概要】
【０００４】  果実を入れる紙袋の開口部に紙袋の上辺を折りたたんで二重にして、ヒモが通る空洞をつくる。その空洞にヒモを通しておき、一方の開口部の上辺の端に二本のヒモが出てくる形をつくる。そのヒモの出てくる端の紙の表面部分に１〜数個の割れ目を入れたいろいろな形のヒモの止め具を型紙やプラスチック製で造り、接着しておく。紙袋に果実を入れて木枝に紙袋を付けるために、紙袋の開口部を締めながら、同時に二本のヒモを引っ張り、締め付け終わったら、二本のヒモを止め具の割れ目に入れて木枝に止める方法である。ヒモはナイロン、エスロン、ポリエチレン、ポリエステル樹脂製やその合成であり、白くキラキラと光るために，防鳥効果になる。紙袋の下辺の端は袋の中に入った水を出すために、コ字状にカットしておいたり、下辺を等間隔に点線状に接着しておく。ヒモや止め具の一部を色分けしたり、色印を付けておくことにより、果実の種類を選別することができる、ヒモ絞り式、果実を包む紙袋。
【考案が解決しようとする課題】
【０００５】  果実に紙袋をかぶせるのは害虫、カラスなどの鳥や水によりカビの発生、日差しや湿気による腐れの防止や消毒液がかかるのを防ぐためであり必要である。２〜３反のブドウ畑の場合で２〜３万個の袋を、上を向いて、一部はハシゴに乗って行う作業であり、きつい厳しい手作業である。素人でも紙袋を素早くワンタッチ、ツータッチで取り付けることができて、無公害で鳥が嫌がる白くキラキラと光るヒモであれば果物農家の人々にとっては良報となる。その器具と方法の開発が急務であり、要求されている。
【課題を解決するための手段】
【０００６】  本考案は果実を紙袋に入れて、木枝にいかに早く簡単に素人でもできるようにするために、ワンタッチ、ツータッチで取り付ける方法であり、細い木枝にも対応できて、柔らかく締め付けることができる。本考案は紙袋の開口部の上辺を折りたたんで、接着して、ヒモを通す空洞をつくり、その空洞にヒモを通して、一方の側の端に二本のヒモを出しておく。その上辺の折りたたんだ紙の表面の端の側の部分に割れ目を入れた長方形やいろいろな形の止め具を型紙やプラスチック製でつくり、接着しておく。止め具の割れ目は１〜数個を入れておく。果実を紙袋に入れてから、紙袋の開口部を縮めながら締め付けてゆき、同時に二本のヒモを引っ張ることにより、木枝に締め付け止めることができて、止め具の割れ目に二本のヒモを差し込んで止める方法である。紙袋の開口部の上辺を折りたたんで二重にする時に接着を一律に貼る場合と１０〜２０ミリの等間隔で、点線状に接着さして、等間隔に接着しない部分をつくる方法とがある。等間隔に接着しない部分をつくる方法は紙袋の開口部を締め付ける時にごわごわせずに、素早く締め付けることができる。紙袋の下辺の片方の端、又は両端を紙袋の中に入った水を出すためにコ字状にカットしておいたり、下辺を等間隔に点線状に接着しておく。また、割れ目を入れた止め具は型紙やプラスチック製でつくり、いろいろな形、大きさであり、１〜数個の割れ目を入れておく。１個の割れ目にヒモが上手に入らない場合には他の割れ目に入れるように予備になる割れ目をつくっておく。
【考案の効果】
【０００７】  本考案を使用して作業をするとワンタッチ、ツータッチにて紙袋をやさしく木枝に取り付けることができる。ヒモはキラキラと光るためにカラスなどの害鳥防止にもなり、素人でも取り付けることができる。今、多くに使用されている紙袋はハリガネ式であり、焼却すると後に針金がのこり公害となっているが本考案には公害は出ない。
【図面の簡単な説明】
【０００８】
【図１】正面図
【図２】側面図
【図３】上からの図
【図４】斜め図
【図５】紙袋の開口部の上辺部分にヒモを通した図  （１）線状の接着  （１）−１  開いた図  （１）−２  閉じた図  （２）点線状の接着  （２）−１  開いた図  （１）−２  閉じた図
【図６】ヒモを止める、割れ目を入れた止め具  （１）長方形で割れ目が一本の場合  ▲１▼正面図  ▲２▼側面図  ▲３▼上からの図  ▲４▼斜め図  （２）長方形で割れ目が二本の場合  ▲１▼正面図  ▲２▼側面図  ▲３▼上からの図  ▲４▼斜め図
【図７】本考案を木枝に付けた図
【図８】ヒモの止め具の入口  （１）Ｖ字状の形  （２）Ｕ字状の形
【図９】紙袋の下部でコ字状の切断部分
【符号の説明】
【０００９】▲１▼紙袋
▲２▼ヒモ
▲３▼紙を折りたたむ部分
▲４▼接着部分
▲５▼ヒモで締めた部分
▲６▼ヒモの止め具
▲７▼止め具の割れ目
▲８▼木枝
▲９▼ブドウ、桃、梨などの果実
▲１０▼止め具のＶ字状の入口
▲１１▼止め具のＵ字状の入口
▲１２▼紙袋の下部の端をカットした部分
▲１３▼紙袋の開口部
【考案を実施するための形態】
【００１０】  次のように実施する。
１、紙袋の入口を開いて、果実を紙袋の中へ入れる。
２、木枝に紙袋の開口部の入口をすぼめながら、同時に二本のヒモを引いて締める。
３、木枝に締め終わったら、二本のヒモを止め具の割れ目に入れる。
４、果実の種類により、ヒモや止め具に付けた色分けや色印により、分類しておく。
５、収穫時に作業場に持ち帰り、ヒモや止め具の色分けや色印ごとに果実の種類を分類しておく。
６、ヒモを止め具より外して開口部を開いたり、紙を破ったりして果実を取り出す。
７、紙袋、ヒモ、止め具を焼却する。本考案は針金などの公害は出ない。
【産業上の利用可能性】
【００１１】  本考案を使用すればワンタッチ、ツータッチで紙袋をヒモで取り付けたりする作業ができて、木枝からの水や消毒液の進入を防ぎ、カラスなどの鳥害の防止ができて、木枝にきつく締め付けずに、やさしく締め付けて止めることができる。上を向いて一個一個の紙袋をかぶせる作業はきつくて、厳しい気の遠くなるような作業である。その仕事の労力や時間を軽減するのに貢献できて、公害を発生させずに素人や女性などの作業する人々に貢献する。
【図１】
0003203054.tif 000003
【図２】
0003203054.tif 000004
【図３】
0003203054.tif 000005
【図４】
0003203054.tif 000006
【図５】
0003203054.tif 000007
【図６】
0003203054.tif 000008
【図７】
0003203054.tif 000009
【図８】
0003203054.tif 000010
【図９】
0003203054.tif 000011